(57)【要約】【課題】操作者が固定された認証位置に目標部位を持っていく動作を必要としない、静脈パターンによる個人認証を行う装置を提供すること【解決手段】認証装置は、正当な使用者の目標部位の血管パターンを予め記憶しておく記憶手段と、光源から出た光の進行方向を変更する走査手段と被認証者が対象装置に対して操作を行った時に被認証者の目標部位が置かれている走査領域を特定し、この走査領域を光で走査するように走査手段を制御する制御手段と、目標部位で反射した光を受光し、これを電気信号に変換する受光部と、電気信号に基づいて被認証者の目標部位の血管パターンを生成し、この血管パターンと記憶手段に記憶された血管パターンとを比較することにより認証を行う認証手段とを備えている。【選択図】図１
2008153123.tif 000002
【特許請求の範囲】
【請求項１】
情報処理装置に装備され、前記情報処理装置を使用する使用者の真偽を認証する認証装置であって、
前記情報処理装置を操作する被認証者を認証するための目標部位の位置変化に応じて、前記目標部位を走査する走査手段と、
前記走査手段が前記目標部位を走査した領域範囲において前記目標部位で反射した反射光を受光する受光手段とを含むことを特徴とする認証装置。
【請求項２】
前記走査手段は、平行光線を２次元に走査することにより、前記光線を前記目標部位に照射する構造である請求項１に記載の認証装置。
【請求項３】
前記受光手段は、前記走査手段が目標部位を走査する領域範囲をカバーする受光面を有する請求項１に記載の認証装置。
【請求項４】
前記走査手段は、走査用光線を走査領域範囲に導く導光板を有する請求項１に記載の認証装置。
【請求項５】
前記走査手段は、使用者の真偽を認証した後に再び認証を行う際に、走査範囲を絞って目標部位の走査を行う請求項１に記載の認証装置。
【請求項６】
前記走査手段は、情報処理装置が使用されている期間中に定期的又は不定期的に目標部位の走査を行う請求項１に記載の認証装置。
【請求項７】
正当な使用者の目標部位の血管パターンを予め記憶しておく記憶手段と、
前記受光手段が出力する信号に基づいて前記走査した目標部位の血管パターンを生成し、その生成した目標部位の血管パターンと、前記記憶手段が記憶している目標部位の血管パターンとを比較することにより、使用者の真偽を認証する認証手段とを有する請求項１に記載の認証装置。
【請求項８】
情報処理装置を使用する使用者の真偽を認証する認証する認証方法であって、
前記情報処理装置を操作する被認証者を認証するための目標部位の位置変化に応じて、前記目標部位を走査し、
前記目標部位を走査した領域範囲において前記目標部位で反射した反射光を受光することを特徴とする認証方法。
【請求項９】
平行光線を２次元に走査することにより、前記光線を前記目標部位に照射する構造である請求項８に記載の認証方法。
【請求項１０】
前記目標部位を走査する領域範囲をカバーする受光面で前記反射光を受光する請求項８に記載の認証方法。
【請求項１１】
走査用光線を走査領域範囲に導光板により導く請求項８に記載の認証方法。
【請求項１２】
使用者の真偽を認証した後に再び認証を行う際に、走査範囲を絞って目標部位の走査を行う請求項８に記載の認証方法。
【請求項１３】
情報処理装置が使用されている期間中に定期的又は不定期的に目標部位の走査を行う請求項８に記載の認証方法。
【請求項１４】
正当な使用者の目標部位の血管パターンを予め記憶しておき、
前記受光手段が出力する信号に基づいて前記走査した目標部位の血管パターンを生成し、その生成した目標部位の血管パターンと、前記記憶手段が記憶している目標部位の血管パターンとを比較することにより、使用者の真偽を認証する請求項８に記載の認証方法。
【発明の詳細な説明】
【技術分野】
【０００１】
本発明は、情報処理装置の使用者の認証に関し、特に、人体の血管パターンの一部を認証情報として利用する生体認証に関する。
【背景技術】
【０００２】
近年の情報技術の急速な発展に伴い、情報の流出や不正利用が大きな問題となっている。この情報の流出や不正利用を防止する目的で、遺失や盗難等による不正利用の恐れが少ない指紋や虹彩、血管パターン（静脈パターン）といった人体の一部を認証情報して用いる生体認証が広く普及してきている。特に血管パターンを用いた認証方法は、指紋のように犯罪捜査を連想させたり、虹彩のように直接眼球に光を照射したりすることがないので心理的抵抗感が少ない上、静脈パターンは容易に観測できる生体表面ではなく、生体内部の特徴であるのため、偽造が困難という利点がある。
また、個人認証を行う際には、被認証者が認証を受けるために検出部に対して特別な行動を伴い、静脈パターン認証においては、手のひらや指を検出位置に持っていく行動が必要となり、利便性に欠ける。【０００３】
このように被認証者が認証を受けるための検出部に対する特別な行動を避けるために、特許文献１では、携帯電話に搭載した静脈パターンの検出部の搭載位置を被認証者のホームポジションを考慮して配置することに関して記載されている。
図８は、携帯電話２００における静脈パターン検出部２０３の配置を示したものである。携帯電話２００に認証デバイスを設ける場合には、図８（ａ）に示すように、被認証者の手の平近傍の静脈パターンを検出する。被認証者が携帯電話２００の操作を行う場合には、図８（ｂ）、（ｃ）に示すように、操作部２０１の背面２０２にて携帯電話２００を保持する。つまり、この動作を行ったときの手の位置が、携帯電話２００に対する被認証者のホームポジションである。よって、携帯電話２００の背面２０２の一部に静脈パターン検出部２０３を配置している。このように被認証者のホームポジションを考慮して静脈パターン検出部２０３を配置することにより、認証のためのみの操作を被認証者に強いる必要がなくなる。【０００４】
特許文献２には、小型化することを課題とした個人認証装置が記載されている。この個人認証装置では、単一の光検知面を有する受光素子で得た強度信号から強度の２次元分布を作成し、生体情報を得て個人の特定を行う。被認証者は、生体情報の読取のために、装置の所定の位置に指等の所定の部位をおく必要がある。【０００５】
特許文献３には、マウス等の操作機器に血管像を得るための機構を組み込んだ個人認証機能つき処理装置が記載されている。この処理装置では、マウス等の操作者の手のひらが当たる部分に赤外線光を照射して血管像を得るようにし、認証処理のためのユーザの負担の低減を図っているが、赤外線を照射する領域は固定されている。【０００６】
【特許文献１】特開２００３−８５５４０号公報
【特許文献２】特開２００５−１０７６３４号公報
【特許文献３】特開２００４−６２８２６号公報
【発明の開示】
【発明が解決しようとする課題】
【０００７】
しかしながら、上述の技術には以下に示すような課題がある。
特許文献１に記載の静脈パターン認証装置においても、認証時に、固定された認証位置に手のひらまたは指等の静脈パターンを採取する目標部位を持っていく必要がある。これは、認証装置の検出位置を被認証者のホームポジションを考慮して配置したものの、その位置が固定されているからである。そのため、利便性には向上の余地がある。【０００８】
本発明の目的は、操作者が固定された認証位置に目標部位を持っていく動作を必要としない、静脈パターンによる個人認証を行う装置を提供することにある。
【課題を解決するための手段】
【０００９】
前記目的を達成するため、本発明に係る認証装置は、情報処理装置に装備され、前記情報処理装置を使用する使用者の真偽を認証する認証装置であって、
前記情報処理装置を操作する被認証者を認証するための目標部位の位置変化に応じて、前記目標部位を走査する走査手段と、
前記走査手段が前記目標部位を走査した領域範囲において前記目標部位で反射した反射光を受光する受光手段とを含むことを特徴とする。
【発明の効果】
【００１０】
本発明によれば、操作者が認証を行うために固定された認証位置に手のひらや指を持っていくような動作の必要がなく、高い利便性を実現することができる。
【発明を実施するための最良の形態】
【００１１】
（第１の実施形態）
図を参照しながら本発明の第一の実施形態である携帯端末１ａの構成と動作について説明する。携帯端末１ａは、情報処理装置を使用する使用者の真偽を認証する認証処理機構を備えた認証装置であるとともに、被認証者が操作しようとする対象装置でもある。ここでは、情報処理装置の１つである携帯端末として、携帯電話機を例に説明するが、本発明の実施形態は、スマートフォン、ＰＤＡ(Personal Data Assistance)、パーソナルコンピュータ等の情報処理装置一般に適用することができる。
図１は、携帯端末１ａの機能ブロック図である。この図には、認証装置として必要な構成要素を図示し、携帯端末が一般に備える他の構成要素は省略している。
携帯端末１ａは、入力手段２と、走査手段３と、制御手段４と、受光手段５と、記憶手段６と、認証手段７を備えている。【００１２】
入力手段２は、携帯端末１ａの操作者（被認証者）が文字や携帯端末１ａに対する指示等の入力操作を行うための手段で、例えば複数のキーにより構成される。【００１３】
走査手段３は、例えば光源とレンズとミラーから構成され、光源から出射された光の進行方向を変化させ所定の方向に導く機能を備えている。【００１４】
制御手段４は、操作者の人体の目標部位が置かれている可能性が高い領域を走査領域として特定し、その走査領域を光が走査するように走査手段３を制御する。【００１５】
受光手段５は、走査手段３から射出され目標部位で反射した光の入力を受けその強度を電気信号に変換して認証手段７に出力する。【００１６】
記憶手段６は、例えば半導体メモリにより構成された記憶装置で、携帯端末１ａの正当な使用者の目標部位の静脈の形状を示すデータである静脈パターンを記憶している。【００１７】
認証手段７は、受光手段５から入力された電気信号に基づいて操作者の目標部位の静脈パターンを生成する。そして、生成した静脈パターンと記憶手段６に記憶されている静脈パターンを比較し、比較結果が所定の基準を満たす場合に操作者が正当な使用者であると認証する。【００１８】
図２は、携帯端末１ａを操作者が操作する様子を示す図である。この図では、操作者は、携帯端末１ａの筐体背面下部を掌に当て人差し指と中指側面を支えて保持しながら、親指５１で入力キー群２１を構成するキーのひとつであるキー２１ａを押下している状態を示している。この場合、目標部位は、左手の親指の先端部分となる。【００１９】
図３（ａ）は、携帯端末１ａの筐体下部の正面図、図３（ｂ）は同断面図であり、図１と同様に操作者が親指でキー２１ａを押下している状態を示している。
入力手段２の一例であるキー群２１は、キー２１ａ、２１ｂ、２１ｃ等の複数のキーにより構成されている。操作者は、キー群２１を構成するキーを押下することにより所望の操作を行う。【００２０】
走査手段３は、光源１１、コリメートレンズ１２、ミラー１３により構成されている。
筐体内部に設けられた光源１１は、例えば半導体レーザダイオードであり、与える電流を制御することにより近赤外線光レーザを射出する。
コリメートレンズ１２は、光源１１の射出面に設けられ、光源１１から出射された近赤外線レーザ光を平行光化する。
ミラー１３は、筐体内部の半導体レーザダイオード１１と入力キー群２１との間に設けられ、直交する２つの軸の周りに回転できるように構成されている。ミラー１３は、コリメートレンズを通って入射した近赤外線レーザ光６１をキー群２１の構成するキーのいずれかに向けて反射させる。
本実施形態では、ミラー１３は、１枚のミラーで２次元走査するようにしているが、１つの軸の周りに回転可能な走査ミラーを２枚使い２次元走査しても良い。【００２１】
制御部４は、押下されたキーのある位置、すなわち目標部位が現在置かれている位置、を検出し、押下されているキー２１ａの近傍の走査領域４１を走査するように走査手段３を制御する。【００２２】
受光手段５の一例であるフォトディテクタ２２は、筐体内部に入力キー群２１全体をカバーするように配置され、反射光６２が親指５１でさらに反射された反射光６３を受光する。そして、受光した光の強度を電気信号に変換して認証手段７に出力する。【００２３】
制御手段４と認証手段７は、例えば、図示しないＣＰＵ(Central Processing Unit)がコンピュータプログラムを実行して上記の各ハードウェアを制御することにより実現される。【００２４】
次に携帯端末１ａの動作について説明する。
携帯端末１ａの操作者が親指５１で入力キー群２１の何れかのキー（図では「２」と表示されたキー２１ａ）に対して入力を行ったときに、光源１１から近赤外線光が発光される。発光された近赤外線光は、コリメートレンズ１２を通過して平行光化される。平行光化された近赤外線光６１は、ミラー１３で反射するが、制御手段４は、偏向ミラー１３で反射した近赤外線光６２が押下されたキー２１ａの近傍の走査領域４１を２次元走査するようにミラー１３の向きを制御する。近赤外線光６２は、キー２１ａの上に置かれた親指５１を照射する。親指５１を照射した光の反射光６３が再び携帯端末１ａの筐体内に戻り、フォトディテクタ２２は、この反射光６３を受光し、その光情報を電気信号に変換する。【００２５】
近赤外線光は、人間の皮膚を透過しやすく、静脈中の還元ヘモグロビンに吸収されやすい性質を持っているため、キー入力した指で反射された光は静脈がある部分で暗くなる。そのため、フォトディテクタ２２で受光した光を電気信号に変換することで、この電気信号に基づいて入力した親指５１の静脈パターンを得ることができる。
認証手段７は、このようにして検出した静脈パターンを記憶手段６に予め登録された静脈パターンと照合する。予め登録しておく静脈パターンについても、例えば認証時の検出と同様な方法で得ることができる。
また、照合時には、電気信号に変換された光情報の変化から親指５１の輪郭と静脈パターンを認識し、その輪郭に対する静脈パターンを比較・照合し、登録されたパターンと一致した場合にはキー入力が受け付けられ、一致しなかった場合にはキー入力を拒否する。ここで、「一致」は、２つの静脈パターンが完全に一致する場合のほか、両者の比較結果が所定の判定基準を満足する場合も含む。【００２６】
この近赤外線光の発光から静脈パターンの照合までのシーケンスは、いずれかのキーが押下される毎に行っても良いし、ある時間毎（例えば１０秒毎）や入力回数毎（例えばキーが１０回押下される毎）に行っても良い。
このようにすれば、キー入力毎または、ある間隔毎に操作者の認証を行うことができるので、操作開始時に１度だけ認証処理を行う場合に比べて高いセキュリティが保たれる。【００２７】
この実施形態では、操作者がキーによる入力操作を行う場合について説明したが、操作の対象となる構成要素は、キーには限定されない。例えば、ダイヤル、タッチパネル等の構成要素に対する操作に対しても本発明の実施形態を適用することができる。【００２８】
携帯端末１ａによれば、制御手段４は、反射光６２が操作者により押下されたキーの近傍、すなわち目標部位である親指５１が置かれている可能性が高い領域である走査領域を２次元走査するように、ミラー１３の向きを制御する。
そのため、操作者の認証を行う際に操作者が意識して認証位置に指を持っていく必要がないため、操作者の抵抗感が少なく利便性が高い認証機能付き携帯端末が実現される。
また、走査領域をひとつのキーの近傍の狭い領域に定めているので、走査に要する時間を短縮することができる。【００２９】
（第２の実施形態）
次に、本発明の第２の実施形態である携帯端末１ｂについて図面を参照して説明する。なお、携帯端末１ａと共通する部分については図面に図３（ａ）（ｂ）と同一の符号を付して説明を省略する。
図４（ａ）は、携帯端末１ｂの筐体下部の正面図、図４（ｂ）は同断面図であり、図１と同様に操作者が親指でキー２１ａを押下している状態を示している。
携帯端末１ｂは、携帯端末１ａの構成に加えて導光板１５を備えている。
ミラー１３で反射した近赤外線光６２は、導光板１５内を進み、キー２１ａの近傍で外部に出射され、第１の実施形態と同様に領域４１を走査し、指５１を照射する。指５１を照射した光の反射光が再び携帯端末１ｂ内に戻り、フォトディテクタ２２で受光し、その光情報は電気信号に変換され、その電気信号から認証手段６が親指５１の静脈パターンを得る。【００３０】
第１の実施形態のように、ミラー１３からの反射光６２が直接領域４１に導かれるようにした場合には、反射光６２とキーが配置されている面との角度θをある程度大きくする必要がある。そのためには、キー配置面とミラー１３との間の距離ｌを大きくする必要がある。また、キー配置面とフォトディテクタ２２との間の空間に光路をさえぎる物を配置することとができない。そのため、筐体の厚さｄが大きくなってしまう（図３（ｂ）参照）。
これに対して、本実施形態では、導光板１５を用いているため上記の角度θに関する制約がなくなり距離ｌを第１の実施形態に比べて小さくすることができる。そのため、本実施形態によれば、第１の実施形態と同様の効果を得られることに加え、第１の実施形態に比べて筐体の厚さを小さくすることができる（認証機構を組み込むことによる厚さの増加を抑制することができる）。【００３１】
（第３の実施形態）
次に、本発明の第３の実施形態である携帯端末１ｃについて図面を参照して説明する。なお、第１の実施形態の携帯端末１ａと共通する部分については図面に図３（ａ）と同一の符号を付して説明を省略する。
図５は、携帯端末１ｃの筐体下部の正面図であり、図１と同様に操作者が親指でキー２１ａを押下している状態を示している。
携帯端末１ｃは、携帯端末１ａの構成に加えて導光板１５を備えている。また、導光板１５とフォトディテクタ２２の配置が携帯端末１ｂと異なっている。【００３２】
導光板１５は、側面３１、３２、３３に沿って側面と平行に配置されている。
２枚のフォトディテクタ２２ａ、２２ｂは、それぞれ側面３２、３３に沿って導光板１５より筐体の内側に配置されている。【００３３】
制御手段４は、ミラー１３を制御して近赤外線光が、導光板１５のさまざまな場所から外部へ射出するように制御する。つまり、側面３２、３３の全体を走査する。そのようにして射出された光の一部は、目標部位５０、５２で反射され、反射光６３ａ、６３ｂとなり、それぞれフォトディテクタ２２ａ、２２ｂにより受光され電気信号に変換される。
認証手段７は、フォトディテクタ２２ａ、２２ｂから入力した電気信号に基づいて、目標部位５０、５２の静脈パターンを生成し、記憶手段６に予め登録された正当な使用者の同部位の静脈パターンと比較検証する。そして、認証手段７は、生成した二つの静脈パターンの両方が記憶手段６に登録された静脈パターンと一致した場合に、操作者が正当な使用者であると認証する。
認証手段７は、目標部位５０、５２のいずれか一方の静脈パターンのみにより認証を行うようにしても良い。この場合、フォトディテクタと導光板の配置は図４と同様とし、認証に用いる部位の変更があっても携帯端末の構成を変更しなくて済むようにしても良い。また、認証に用いる部位の側にだけフォトディテクタと導光板を配置して構成を単純化しても良い。
また、目標部位５０または５２の静脈パターンが取得できた場合、その時のミラーの方向を記憶しておき、その後の認証の際には、ミラー１３が記憶した方向に向くように制御し、走査に要する時間を短縮するようにしても良い。【００３４】
本実施形態によっても第１の実施形態と同様の効果が得られる。
また、導光板とフォトディテクタを筐体の側面に沿って配置しているので、これらの部品を配置するために筐体の厚さを増大させなくても済む。【００３５】
（第４の実施形態）
次に、本発明の第４の実施形態である携帯端末１ｄについて図面を参照して説明する。図６（ａ）は、携帯端末１ｄの筐体下部の背面図であり、図６（ｂ）は、同断面図である。図１に示したものと同様にして操作者が筐体下部を左手で保持して入力キーを操作している状態を示している。
携帯端末１ｄの構成は、図２、図３（ａ）、図３（ｂ）に示した携帯端末１ａの構成と同様であるが、この例での目標部位は人差し指としている。そのため、制御手段４による走査手段３が走査する領域の決定の仕方が携帯端末１ａとは異なっている。【００３６】
制御手段４は、認証を行う際に、まず、目標部位が置かれている可能性の高い検知可能領域（仮の走査領域）４０全域を２次元走査するように走査手段３を制御する。近赤外線光６２は、携帯端末１ｄの裏面側にある人差し指５３に照射され、その反射光が再び携帯端末１ｄの筐体内に戻り、フォトディテクタ２２がこれを受光し電気信号に変換する。認証手段７は、この電気信号から人差し指５３の一部の静脈パターンを得る。
フォトディテクタ２２は、領域４０全体をカバーするように携帯端末１ｄの筐体内にキー配置面と平行に配置されている。【００３７】
近赤外線光の発光から静脈パターンの照合までのシーケンスは、第１の実施形態と同様に、操作開始時に行っても良いし、情報処理装置が使用されている期間中に定期的又は不定期的に走査する、例えばある時間毎や入力回数毎に行っても良い。
また、目標部位の静脈パターンが得られる領域が判明した２度目以降の認証時には、検知可能エリア４０の全域を走査することなく、判明した走査領域（絞った走査範囲）４１だけを走査して静脈パターンを撮影して照合しても良い。
また、第２の実施形態と同様に、ミラー１３で反射した光を検知可能エリア４０に導く導光板を備えるようにしても良い。【００３８】
携帯端末１ｄによれば、通常、操作者が入力操作を行う際に操作者の目標部位が置かれる可能性の高い領域を仮の走査領域としている。
そのため、操作者の認証を行う際に操作者が意識して認証位置に指を持っていく必要がないため、操作者の抵抗感が少なく利便性が高い認証機能付き携帯端末が実現される。
また、一旦静脈パターンが得られる領域が特定された後は、走査領域を縮小しているため、走査に要する時間を短縮することができる。【００３９】
（第５の実施形態）
次に、本発明の第５の実施形態であるキーボード１００について図面を参照して説明する。キーボード１００の機能ブロック図は図１の携帯端末１ａのそれと同様であり、入力手段２と、操作手段３と、制御手段４と、受光手段５と、記憶手段６と、認証手段７を備えている。【００４０】
図７（ａ）は、キーボード１００の斜視図、図７（ｂ）は断面図である。
キーボート１００は、例えばパーソナルコンピュータ等の情報処理装置１０１に接続され、情報処理装置１０１に対する入力操作に用いられる。キーボード１００は、入力手段２として、筐体上面に配置された複数のキー２１ａ等により構成される入力キー群２１を備えている。操作者は、通常、両手の掌の下部（手首に近い部分）をキーが配置されていないパームレスト部４３に置き、指でキーを押下することにより入力操作を行う。
なお、キーボード１００は、図７のように情報処理装置１０１から物理的に分離した構造となっていても良いし、ラップトップのパーソナルコンピュータのように情報処理装置１０１と一体となっていても良い。【００４１】
走査手段３は、第１の実施形態と同様の光源及びレンズ（図示せず）とミラー１３、１４により構成されている。ミラー１３は、第１の実施形態と同様に、キーボード１００の筐体内に配置され２次元走査が可能なように構成されている。ミラー１４は、フォトディテクタ２２ａ、２２ｂとミラー１３の間の筐体底板上に固定されている。光源及びレンズは、例えば、筐体内のミラー１３の近傍に配置する。フォトディテクタ２２ａ、２２ｂはそれぞれ操作者の右掌からの反射光、左掌からの反射光を受光できる位置の底板上に固定されている。記憶手段６には、情報処理装置１０１の正当な使用者の右掌の目標部位の静脈パターンと左掌の目標部位の静脈パターンとが予め記憶されている。【００４２】
ミラー１３により反射された反射光６２は、ミラー１４で反射され、反射光６４は筐体外に出る。制御手段４は、この反射光６４が通常右手の目標部位が置かれると考えられる走査領域４１ａを走査するようにミラー１３の向きを制御する。
フォトディテクタ２２ａは、操作者の右掌からの反射光６３を受信し、これを電気信号に変換する。
認証手段７は、この電気信号に基づいて右手掌の目標部位の静脈パターンの生成を試みる。ここで、右掌の目標部位の静脈パターンが得られた場合には、記憶手段６に予め記憶された正当な使用者の同部位の静脈パターンと比較・検証して認証を行う。また、第４の実施形態と同様に、以後の認証処理では、走査領域４１ａだけを走査するようにしても良い。
右掌の目標部位の静脈パターンが得られなかった場合には、制御手段４が、反射光６４が走査領域４１ｂを操作するようにミラー１３を制御する。認証手段７は、右掌の場合と同様にして左掌の目標部位の静脈パターンの生成を試み、これに成功した場合には、記憶手段６に予め記憶された正当な使用者の同部位の静脈パターンと比較・検証して認証を行う。左掌の静脈パターンの生成にも失敗した場合は、認証は失敗として、キー入力を受けつけない。【００４３】
この実施形態でも、目標部位は掌の一部とは限らず、指先等としても良い。その場合、目標部位に応じて光源、ミラー、フォトディテクタの位置関係を適宜調整すればよい。
また、第１の実施形態のように押下されたキーの近傍を走査するようにミラー１３の向きを制御するようにしても良い。
さらに、第２の実施形態、第３の実施形態と同様にミラーと走査領域の間に導光板を設けるようにしても良い。【００４４】
制御手段４、記憶手段６、認証手段７は、それぞれ、キーボード１００に設けても良いし、情報処理装置１０１に設けても良い。【００４５】
キーボード１００によれば、制御手段４は、通常操作者の掌の目標部位が置かれていると考えられる走査領域４１ａ、４１ｂを走査するようにミラー１３の向きを制御する。
そのため、操作者の認証を行う際に操作者が意識して認証位置に手のひらや指を持っていく必要がないため、操作者の抵抗感が少なく利便性が高い情報端末用キーボードが実現される。
また、目標部位を複数とし、それぞれに対応して走査領域を設けているので、有効な静脈パターンを得ることができる確率が高くなる。また、一方の走査領域で静脈パターンが得られた場合は、その後の認証では、他方の走査を省略することにより走査に要する時間を短縮することができる。【００４６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００４７】
この出願は２００７年６月１４日に出願された日本出願特願２００７−１５７５５４を基礎とする優先権を主張し、その開示の全てをここに取り込む。
【図面の簡単な説明】
【００４８】
【図１】本発明の第１の実施形態である携帯端末の機能ブロック図である。
【図２】操作者が図１の携帯端末を操作する様子を示す図である。
【図３】図３（ａ）は、図１の携帯端末の正面図である。図３（ｂ）は、図１の携帯端末の断面図である。
【図４】図４（ａ）は、本発明の第２の実施形態である携帯端末の正面図である。図４（ｂ）は、同じく断面図である。
【図５】図５は、本発明の第３の実施形態である携帯端末の正面図である。
【図６】図６（ａ）は、本発明の第４の実施形態である携帯端末の正面図である。図６（ｂ）は、同じく断面図である。
【図７】図７（ａ）は、本発明の第５の実施形態であるキーボードの斜視図である。図７（ｂ）は、同じく断面図である。
【図８】図８（ａ）、図８（ｂ）、図８（ｃ）は、関連する携帯端末の構成を示す図である。
【符号の説明】
【００４９】
１ａ、１ｂ、１ｃ、１ｄ  携帯端末
２  入力手段
３  走査手段
４  制御手段
５  受光手段
６  記憶手段
７  認証手段
１１  レーザダイオード
１２  コリメートレンズ
１３、１４  ミラー
２１  入力キー群
２２、２２ａ、２２ｂ  フォトディテクタ
１００  キーボード
１０１  情報処理装置
【図１】
2008153123.tif 000003
【図２】
2008153123.tif 000004
【図３】
2008153123.tif 000005
【図４】
2008153123.tif 000006
【図５】
2008153123.tif 000007
【図６】
2008153123.tif 000008
【図７】
2008153123.tif 000009
【図８】
2008153123.tif 000010
【手続補正書】
【提出日】平成20年10月13日(2008.10.13)
【手続補正１】
【補正対象書類名】特許請求の範囲
【補正対象項目名】全文
【補正方法】変更
【補正の内容】
【特許請求の範囲】
【請求項１】
情報処理装置に装備され、前記情報処理装置を使用する使用者の真偽を認証する認証装置であって、
光を照射する光源と、
前記光源から照射された光を、前記情報処理装置を操作する被認証者を認証するための目標部位の位置変化に応じて、前記目標部位に走査する走査手段と、
前記走査手段により前記目標部位に走査した光の領域範囲において前記目標部位で反射した反射光を受光する受光手段とを含むことを特徴とする認証装置。
【請求項２】
前記走査手段は、平行光線を２次元に走査することにより、前記光線を前記目標部位に照射する構造である請求項１に記載の認証装置。
【請求項３】
前記受光手段は、前記走査手段により目標部位を走査する光の領域範囲をカバーする受光面を有する請求項１に記載の認証装置。
【請求項４】
前記走査手段は、走査用光線を走査領域範囲に導く導光板を有する請求項１に記載の認証装置。
【請求項５】
前記走査手段は、使用者の真偽を認証した後に再び認証を行う際に、走査範囲を絞って目標部位に光の走査を行う請求項１に記載の認証装置。
【請求項６】
前記走査手段は、情報処理装置が使用されている期間中に定期的又は不定期的に目標部位に光の走査を行う請求項１に記載の認証装置。
【請求項７】
正当な使用者の目標部位の血管パターンを予め記憶しておく記憶手段と、
前記受光手段が出力する信号に基づいて前記走査した目標部位の血管パターンを生成し、その生成した目標部位の血管パターンと、前記記憶手段が記憶している目標部位の血管パターンとを比較することにより、使用者の真偽を認証する認証手段とを有する請求項１に記載の認証装置。
【請求項８】
情報処理装置を使用する使用者の真偽を認証する認証方法であって、
光源から照射された光を、前記情報処理装置を操作する被認証者を認証するための目標部位の位置変化に応じて、前記目標部位に走査し、
前記目標部位を走査した領域範囲において前記目標部位で反射した反射光を受光することを特徴とする認証方法。
【請求項９】
平行光線を２次元に走査することにより、前記光線を前記目標部位に照射する構造である請求項８に記載の認証方法。
【請求項１０】
前記目標部位を走査する光の領域範囲をカバーする受光面で前記反射光を受光する請求項８に記載の認証方法。
【請求項１１】
走査用光線を走査領域範囲に導光板により導く請求項８に記載の認証方法。
【請求項１２】
使用者の真偽を認証した後に再び認証を行う際に、走査範囲を絞って目標部位に光の走査を行う請求項８に記載の認証方法。
【請求項１３】
情報処理装置が使用されている期間中に定期的又は不定期的に目標部位に光の走査を行う請求項８に記載の認証方法。
【請求項１４】
正当な使用者の目標部位の血管パターンを予め記憶しておき、
前記受光手段が出力する信号に基づいて前記走査した目標部位の血管パターンを生成し、その生成した目標部位の血管パターンと、前記記憶手段が記憶している目標部位の血管パターンとを比較することにより、使用者の真偽を認証する請求項８に記載の認証方法。
【国際調査報告】
2008153123.tif 000011
2008153123.tif 000012
2008153123.tif 000013
2008153123.tif 000014